(57)【要約】【課題】合成樹脂製受口に波付可撓管を挿入し、その抜止めを確実にする。【解決手段】合成樹脂射出成形製受口３に、環状の波付可撓管４を挿入した後、該受口３の外周に設けたオネジ６に螺合する袋ナット形ユニオンナット５により抜止め固定をする際、波付可撓管４の谷７に弾圧嵌着した合成樹脂製Ｃリング８に設けたフランジ１３の一部を、締付後ユニオンナット５の後部から見えるようにしたので、可撓管挿入量やナット締付量が標準化されて抜止めを確実にする。【選択図】　　　　図１
2004084887.tif 000002
【特許請求の範囲】
【請求項１】
断面略矩形の長寸体を用い、かつ、一部大きく切欠いたリング本体からなる止め輪用合成樹脂製Ｃリングにあって、
該リング本体の軸方向両側に薄肉フランジを一体に設け、該フランジを、リング本体装着の谷また溝に対する両山の頂面、または外面に跨設するようにして、Ｃリングの装着を強固にしたことを特徴とする止め輪用合成樹脂製Ｃリング。
【請求項２】
合成樹脂製受口に、シ−ル付の波付可撓管を挿入した後、該受口の外周に設けたオネジに螺合するユニオンナットにより該波付可撓管を固定するにあたり、
該波付可撓管の谷に予め装着したＣリングを、前記ユニオンナットの締付ストッパ−にすると共に、該Ｃリングの一部を、螺進締付後にユニオンナットの螺進後端より露出させて、該波付可撓管の所定の挿入やユニオンナットの所定の締付状態を視認可能にしたことを特徴とする波付可撓管継手。
【請求項３】
請求項２の波付可撓管継手を、戸建住宅等の屋内用集合一括排水設備における集合ますの受口と、排水枝管たる波付可撓管とのワンタッチ式接続に用いた波付可撓管継手。
【発明の詳細な説明】
【０００１】
【発明の属する技術分野】
本発明は、合成樹脂製Ｃリングに関し、詳しくは、この種のＣリングを用いた波付可撓管継手に関し、更に詳しくは、戸建住宅等の屋内用集合一括排水設備に使用される、合成樹脂製Ｃリングを用いた波付可撓管継手に関するものである。
【０００２】
【従来の技術】
この種、戸建住宅等の屋内用集合一括排水設備について、本出願人は次のような提案を行っている（特開２００２−７００９９号公報）。
【０００３】
すなわち、図３において、かかる集合一括排水設備１は、コンクリ−ト１００に埋設され、かつ、宅地内排水管に接続される１本の排水主管１０１と、該排水主管１０１の上流側で接続され、かつ、コンクリ−トで固定された合成樹脂製集合ます１０２と、からなり、前記排水枝管１０３と集合ます１０２とをワンタッチ式に接続することを特徴とする設備であるので、特に２次の屋内配管がきわめて容易にでき施工性を向上させ、ひいては、コンクリ−ト工事者等の多能工でも十分に配管することができ、殊に、１本の排水主管１０１と１個の集合ます１０２との接続配管で、かつ、これらのみのコンクリ−ト固めであることから、施工のタイムラグを防ぎながら施工に伴う人件費を節減することができる。
【０００４】
また、宅地ますの数も節減でき、資材費のコストダウンにもなり、更に、建屋の外に配管されるスペ−スが不要となり、宅地の有効利用ができる。
【０００５】
その上、配管後のコンクリ−ト打設は、その配管が本来、鉄筋の存在や、作業段取り等のため困難であるが、この屋内用の集合一括排水設備１では、１本の排水主管１０１と集合ます１０２のみを配管してから、コンクリ−ト打設を行うので、前記困難性は解消され、しかも、可撓管からなる排水枝管１０３により後から設置する排水源用機器との位置ズレを吸収することができる、という諸々の特長をもっている。
【０００６】
そして、かかる可撓管、特に波付可撓管からなる排水枝管１０３と集合ます１０２とをワンタッチ式に接続する管継手について、その後、次のような改良提案を行った（特願２００１−１４１９２３号特許出願）。
【０００７】
すなわち、図４において、この波付可撓管継手は、集合ます１０２の受口１０４の外周における受口長さの略中央部に係合溝１０５を形成し、この係合溝１０５に嵌合する受口側爪１０６と、波付可撓管たる排水枝管１０３の谷１０７に嵌合する可撓管側爪１０８とを有する、２つ割りのリング状止め具１０９を用い、波付可撓管の抜け止めにしている。
【０００８】
したがって、この受口１０４に波付可撓管たる排水枝管１０３を挿入して受口ストッパ−１１０に迄ワンタッチ式に押し込み、次いで、上下方向から２つ割り止め具１０９を合せて挟み、受口側爪１０６を係合溝１０５に、可撓管側爪１０８を谷１０７にそれぞれ嵌合すると共に、抜け止めくびれ付ピンをピン孔にワンタッチ式に押し込むと、受口１０４に波付可撓管たる排水枝管１０３が挿入した状態で固定できる。
【０００９】
この受口１０４は、若干の先細りテ−パ付のＴＳ受口タイプであるため、波付可撓管の押し込み先の山は若干圧縮されて押し込まれるので、密接嵌合されてガタ付つかず、しかも、止め具１０９の小径部分は波付可撓管に遊嵌しているので、波付可撓管の可撓性を損なうことがない、という特長をもっている。
【００１０】
なお、図４中、１１１は、受口１０４の受口ストッパ−１１０に最も近い谷１０７に外嵌したシ−ルリング、１１２は波付可撓管の山を示す。
【００１１】
【発明が解決しようとする課題】
しかしながら、かかる改良した波付可撓管継手では、その後、次のような問題が判明した。
【００１２】
すなわち、排水枝管１０３たる波付可撓管における、切管による管端と、止め具１０９の可撓管側爪１０８を嵌合する谷１０７との距離Ｌにバラツキがあり、ひいては、受口ストッパ−１１０と該谷１０７との間の距離Ｌがバラツクことになって、前記２つ割りリング状の止め具１０９の装着を困難にしている。
【００１３】
詳しくいえば、止め具１０９の受口側爪１０６を係合溝１０５に、可撓管側爪１０８を谷１０７にそれぞれ嵌合しようとしても、前記距離Ｌのバラツキにより困難となる。ひいては、床下の狭隘空間におけるワンタッチ作業に支障をきたすことになる、という問題が判明した。
【００１４】
かかる問題を分析すると、集合ます１０２の受口１０４の受口長さは、これが射出成形製もあって、製作精度はきわめて高いが、一方、波付可撓管の山・谷（１１２、１０７）の軸方向間隔は可撓管たる属性もあって、射出成形精度には及ばず、その上、波付可撓管の管端の切管作業は、施工現場での作業もあって、作業精度を期待できない、ということから、前記距離Ｌのバラツキの発生ということが判明した。
【００１５】
そこで本発明は、かかる問題を解決するため、距離Ｌのバラツキ防止ということから離れて発想を転換して、創作された。
【００１６】
【課題を解決するための手段】
すなわち、本発明の要旨とするところは、１）断面略矩形の長寸体を用い、かつ、一部大きく切欠いたリング本体からなる止め輪用合成樹脂製Ｃリングにあって、該リング本体の軸方向両側に薄肉フランジを一体に設け、該フランジを、リング本体装着の谷また溝に対する両山の頂面、または外面に跨設するようにして、Ｃリングの装着を強固にしたことを特徴とする止め輪用合成樹脂製Ｃリングにあり、また、２）合成樹脂製受口に、シ−ル付の波付可撓管を挿入した後、該受口の外周に設けたオネジに螺合するユニオンナットにより該波付可撓管を固定するにあたり、該波付可撓管の谷に予め装着したＣリングを、前記ユニオンナットの締付ストッパ−にすると共に、該Ｃリングの一部を、螺進締付後にユニオンナットの螺進後端より露出させて、該波付可撓管の所定の挿入やユニオンナットの所定の締付状態を視認可能にしたことを特徴とする波付可撓管継手にあり、また、３）請求項２の波付可撓管継手を、戸建住宅等の屋内用集合一括排水設備における集合ますの受口と、排水枝管たる波付可撓管とのワンタッチ式接続に用いた波付可撓管継手にある。
【００１７】
【発明の実施の形態】
本発明を添付図面に示す実施例により詳細に述べる。
図１は本発明の実施例の一部断面分解図、図２は図１の組立要部詳細図であって、図３の従来例の全体概略図や図４の出願中の組立詳細図、と同一部分は省略したので、これを補充する必要がある。
【００１８】
本発明の実施例のＣリングを用いた波付可撓管継手２は、戸建住宅等の屋内用集合一括排水設備におけるワンタッチ式接続に好適であるが、一般の波付可撓管継手、例えば電線保護用波付可撓管の継手にも適用できる。
【００１９】
そのため、この波付可撓管は合成樹脂製であり、しかも、独立した山谷形、つまり、環状の波付可撓管であって、口径約５０ｍｍφ〜約５００ｍｍφのものが好適となる。
【００２０】
そして、この波付可撓管継手２は排水管に好適であるため、その受口にはＶＵ管も挿入できる兼用形にしている。
【００２１】
さて、本実施例の波付可撓管継手２を概説する。
【００２２】
図１、２において、この波付可撓管継手２は、合成樹脂製受口３にシ−ル付の波付可撓管４を挿入した後、ユニオンナット５を、該受口３の外周に設けたオネジ６に螺合して該波付可撓管４を固定するにあたり、該波付可撓管４の谷７に予め外嵌したＣリング８を用いて、ユニオンナット５の締付ストッパ−としながら、該受口３へ波付可撓管４を挿入する長さに過不足のないように、また、ユニオンナット５の締付け量に過不足のないように、しかも、これらの標準状態を目視できるようにしたものであ。
【００２３】
その結果、受口３と波付可撓管４とのワンタッチ式接続作業に対する抜止め固定作業が汎用化され、たとえ波付可撓管４に製作等の精度不良があっても、ユニオンナット５の締付力加減や螺進退量の微調節により、確実に固定作業ができるようになった。
【００２４】
次に、本実施例の波付可撓管継手２を詳説する。
【００２５】
先ず、受口３であるが、この受口３は、一般のＶＵ管がＴＳ接合可能にする規格寸法に形成しているので、所定の受口長さをもつように受口ストッパ−９を設けている。
【００２６】
また、その外周面にはオネジ６を切り放し状に、すなわち、ナットストッパ−を設けずに形成している。
【００２７】
そして、この受口３は、集合ます（図４の１０２）に一体射出成形してもよいが、この集合ます（１０２）とは別体で、片口ソケット状や両口ソケット状や片側ＴＳ接合受口付の片口ソケット状や、更には、フランジ付短管一体成形の受口に適用ないし応用することができる。
【００２８】
次に、波付可撓管４であるが、これは環状のフィン付可撓管であって、その内面が平滑で外層に波付をしてあり、その適宜切管した管端１０に近い谷７にシ−ルリング１１を外嵌して管継手のシ−ルとしている。
【００２９】
勿論、このシ−ルリング１１は、可撓管が合成樹脂製であり、排水管等に適用できる所定の口径に構成しているので、その山・谷の径方向の寸法精度は必ずしも高くないことから、リップ付シ−ルリングを用いて、射出成形製受口３とのガタを吸収してシ−ルしている。
【００３０】
次に、ユニオンナット５であるが、これは合成樹脂製であって、前記受口３の外周のオネジ６に螺合して、受口３と波付可撓管４とを結合（ユニオン）して抜止め固定するため、それ自体が螺進退するユニオンナットに構成している。
【００３１】
そして、このユニオンナット５には、その螺進後端に袋ナット状に絞り部１２を設けており、したがって、このユニオンナット５は袋ナット形可撓管押えナットということができる。
【００３２】
この絞り部１２は、可撓管挿入後受口長さより若干外側の谷７に予め嵌着したＣリング８に当接して締付ストッパ−（螺進により当接して螺合止めにすること）にしているが、特に、その肉厚（軸方向厚さ）を、Ｃリング８の薄肉フランジ１３の巾（突出長さ）より若干小に形成し、ユニオンナット５の締付後には、そのフランジ１３の外周部、つまり一部がこの絞り部１２から露出して視認できるようにしている。勿論、フランジ形状でなくてもよく、星形でもよい。
【００３３】
したがって、この絞り部１２の開口径は、装着されたＣリング８の外径より小にしている。そして、フランジ１３を着色しておけば視認が容易になる。
【００３４】
また、このユニオンナット５には、その内周に前記オネジ６と螺合するメネジ１４を刻設し、また、その外周に把持用のロ−レット１５を加工している。勿論、ロ−レット１５の代りにスパナ掛け六面を設けてもよい。
【００３５】
また、このユニオンナット５の螺進後端面には、多数の突起体１６を設け、合成樹脂製ナットに剛性をもたせている。
【００３６】
さて、Ｃリング８であるが、これはＪＩＳ規格でいう、ばね鋼等の金属製Ｃ形同心止め輪に類するものであって、一般的には、スナップリングやサ−クリップとも呼ばれており、その機能は軸方向の抜け止めをしているが、そのため、断面形状は、略矩形の一部切欠ばねリングに構成して、軸外面の溝や穴内面の溝に弾性変形させて装着するものである。
【００３７】
ところが、本発明にかかるＣリング８は、この特徴の外、高密度ポリエチレン製（合成樹脂射出成形製）で、その断面略矩形状の長寸板体をその長辺を径方向にしてリング体としたリング本体８Ａには、金属製Ｃリングでは成形困難な、その軸方向両側面に薄肉フランジ１３、１３を一体射出成形しており、特に、このリング本体８Ａは、波付可撓管４の谷７に密接嵌入でき、これらのフランジ１３は２つの山の頂面に跨設できるようになっている。
【００３８】
そして、このリング本体８Ａの切欠き長さは、合成樹脂の弾性不足から前記金属製Ｃリングと違い、３６０°のリング全体からみて略９０°の範囲、つまりリング本体８Ａの略１／４の大きい範囲にしている。そのため、Ｅ形止め輪と称してもよい。
【００３９】
したがって、このＣリング８を波付可撓管４の谷７に弾圧的に装着したとき、リング本体８がその谷側に、フランジ１３が隣接する２つの山頂面（谷に対す両山の頂面）に、それぞれ当接するので、大きい切欠きがあっても、ユニオンナット５の締付けで外れることはない。
【００４０】
しかも、一方のフランジ１３の外周部がユニオンナット５から露出するので、Ｃリング８の装着姿勢も確認できる。勿論、金属製Ｃリングと違い、使用による腐蝕はない。
【００４１】
なお、かかるＣリング８は、前記ユニオンナット５に限らず、２つ割りナットに使用してもよいし、一般のリング溝に装着し、その外面にフランジ１３を跨設してもよい。
【００４２】
【発明の効果】
請求項１の発明によると、金属製Ｃリングに比べ合成樹脂製Ｃリングの弾性不足を両側の薄肉フランジでその剛性を与えてカバ−しながら、Ｃリングの弾圧装着を強固にすることができる。
【００４３】
請求項２の発明によると、Ｃリングをユニオンナットの締付けストッパ−にしながら、締付不良や挿入不良を防止して、作業の標準化を行うことができる。
【００４４】
請求項３に発明によると、前記の外、ワンタッチ式接続に貢献することができる。
【図面の簡単な説明】
【図１】本発明の実施例の一部断面分解図である。
【図２】図１の実施例の組立要部詳細図である。
【図３】従来例である。
【図４】出願中の組立詳細図である。
【符号の説明】
１…集合一括排水設備、２…波付可撓管継手、３…受口、４…波付可撓管、５…ユニオンナット、７…谷、８…Ｃリング、８Ａ…リング本体、１３…薄肉フランジ、１０２…集合ます
【図１】
2004084887.tif 000003
【図２】
2004084887.tif 000004
【図３】
2004084887.tif 000005
【図４】
2004084887.tif 000006